(57)【要約】【課題】通信網において、移動端末に対して現在の通信状況よりもよい通信状況となる場所を知らせることができる無線通信方法、無線通信システム、無線基地局及び移動端末を提供する。【解決手段】移動端末１００から無線基地局２００へ、予測下りデータ通信速度と該移動端末１００の位置情報とを送信し、無線基地局２００のＤＲＣマップ部（データベース）は、予測下りデータ通信速度及び位置情報をもとにＤＲＣマップを作成し、移動端末１００がダウンロードしている時に、無線基地局２００はＤＲＣマップに基づいて通信状態のよい場所を探し出して該移動端末１００に通知することを特徴とする。【選択図】  図１
2004312528.tif 000002
【特許請求の範囲】
【請求項１】
移動端末から無線基地局へ、予測下りデータ通信速度と該移動端末の位置情報とを送信し、
前記無線基地局は、前記予測下りデータ通信速度及び位置情報をもとにデータベースを作成し、
前記移動端末がダウンロードしている時に、前記無線基地局は該データベースに基づいて通信状態のよい場所を探し出して該移動端末に通知することを特徴とする無線通信方法。
【請求項２】
前記通信状態のよい場所は、前記移動端末が該場所に移動することにより、予測下りデータ通信速度が高くなる場所であることを特徴とする請求項１に記載の無線通信方法。
【請求項３】
前記データベースは、前記無線基地局が担当するエリアを複数の小エリアに区分けし、前記位置情報に対応する小エリアに、該位置情報に対応する前記予測下りデータ通信速度を関連づけて構成することを特徴とする請求項１又は２に記載の無線通信方法。
【請求項４】
前記データベースは、前記予測下りデータ通信速度を前記小エリア毎に整理して、加算平均を行い、該加算平均値に基づいて更新することを特徴とする請求項３に記載の無線通信方法。
【請求項５】
前記移動端末は、前記予測下りデータ通信速度が所望値以下になったと判断したとき、より通信状態のよい場所を通知するように、前記無線基地局に対して要求することを特徴とする請求項１乃至４のいずれか一項に記載の無線通信方法。
【請求項６】
前記移動端末は、前記移動端末から通知された通信状態のよい場所を表示することを特徴とする請求項１乃至５のいずれか一項に記載の無線通信方法。
【請求項７】
移動端末の受信状態を示す情報を該移動端末が無線基地局へ送信することにより、該無線基地局が該移動端末へ送信するデータの変調方式を切り換える通信方式を用いた無線通信システムにおいて、
前記移動端末は、予測下りデータ通信速度と該移動端末の位置情報とを前記無線基地局に送信する送信手段と、
前記無線基地局は、前記予測下りデータ通信速度及び位置情報をもとにデータベースを作成する作成手段と、前記移動端末がダウンロードしている時に、前記データベースに基づいて通信状態のよい場所を該移動端末に通知する通知手段と、備えたことを特徴とする無線通信システム。
【請求項８】
移動端末の受信状態を示す情報に基づいて、該移動端末へ送信するデータの変調方式を切り換える通信方式を用いた無線基地局であって、
前記移動端末から受信した予測下りデータ通信速度と該移動端末の位置情報とをもとにデータベースを作成するデータベース部と、
前記移動端末がダウンロードしている時に、前記データベースに基づいて通信状態のよい場所を該移動端末に通知する解析部とを有することを特徴とする無線基地局。
【請求項９】
前記データベース部は、前記無線基地局が担当するエリアを複数の小エリアに区分けし、前記位置情報に対応する小エリアに、該位置情報に対応する前記予測下りデータ通信速度を関連づけて、前記データベースを構築することを特徴とする請求項８に記載の無線基地局。
【請求項１０】
前記データベース部は、前記予測下りデータ通信速度を前記小エリア毎に整理して、加算平均を行い、該加算平均値に基づいて前記データベースを更新することを特徴とする請求項９に記載の無線基地局。
【請求項１１】
通信状態に基づいてデータ変調方式を切り換える通信網で用いられる移動端末であって、
該移動端末の位置情報を取得する現在位置取得部と、
予測下りデータ通信速度を保持するバッファ部と、
前記位置情報及び予測下りデータ通信速度を無線基地局に送信する送信部と、
前記無線基地局からデータをダウンロードする受信部と、
前記受信部がダウンロード中に、前記無線基地局から送信されてきた通信状態のよい場所を示す情報を表示する表示部とを有することを特徴とする移動端末。
【請求項１２】
前記移動端末は、前記予測下りデータ通信速度が所望値以下になったと判断したとき、より通信状態のよい場所を通知するように、前記無線基地局に対して要求する制御部を有することを特徴とする請求項１１に記載の移動端末。
【発明の詳細な説明】
【０００１】
【発明の属する技術分野】
本発明は、無線通信方法、無線通信システム、無線基地局及び移動端末に関する。
【０００２】
【従来の技術】
近年、次世代の高速無線通信方式としてｃｄｍａ２０００  １ｘ−ＥＶ  ＤＯ方式が開発されている。上記ｃｄｍａ２０００  １ｘ−ＥＶ  ＤＯ方式では、携帯通信端末から受信した受信状態を通知する情報に基づいて、基地局が当該端末へ送信するデータの変調方式を切り換えることにより、当該端末の受信状態が良好な時は誤り耐性が低いが高速な通信レート、受信状態が悪いときは低速だが誤り耐性の高い通信レートを使用することが可能となっている。
【０００３】
また、ｃｄｍａ２０００  １ｘ−ＥＶ  ＤＯ方式では、予測や過去の下りデータ伝送の誤り率等の統計データによる補正等を考慮して求められた極めて正確なデータ通信速度を直接的に示す予測下りデータ通信速度（ＤＲＣ；Ｄａｔａ  Ｒａｔｅ  Ｃｏｎｔｒｏｌ  Ｂｉｔ）をテーブルとして端末側が備え、このテーブルに基づいて、上記予測下りデータ通信速度を端末から前記基地局へ通知するようになっている。これにより、上記した種々の通信レートでのデータ通信が行われる。
【０００４】
このように、ｃｄｍａ２０００  １ｘ−ＥＶ  ＤＯ方式では、基地局から携帯通信端末への下り方向のデータ通信速度が携帯通信端末における受信状態（例えば受信電界強度、搬送波対干渉比＝ＣＩＲ）によって、大きく変化するという特性を有している。例えば、携帯通信端末が受信状態が最も良好なときであれば通信速度２．４Ｍｂｐｓでのデータ通信が可能となるが、受信状態が悪いときでは数１０ｋｂｐｓ程度にまでデータ通信速度が低下することになる。
【０００５】
また、従来においては、端末からの要求により、中継基地局の通信サービスエリア内の回線品質情報を総合基地局に送信し、これらを記憶装置内にある地理データとリンクさせた映像情報として端末に送り、端末が視覚的に表示するシステムが考え出されている。このシステムによれば、移動体通信網を用いて、端末の周辺地域における電波状況情報を得ることができる（例えば、特許文献１参照）。
【０００６】
【特許文献１】
特開平１１−１６４３５５号公報
【０００７】
【発明が解決しようとする課題】
しかしながら、上記従来のシステムでは、端末に提供される情報が中継基地局単位の回線品質情報であり、総合基地局に１度問い合わせてから端末にかかる情報が送信される。そこで、従来のシステムでは、中継基地局の配置されている数によって、端末に提供される回線品質情報の精度が変わってしまう。
【０００８】
また、上記従来のシステムでは、新しく建物ができて電波環境が変わった場合に、自動的に対応することができない。さらに、上記従来のシステムでは、総合基地局内の記憶装置に保存されているデータ、すなわち端末に提供される回線品質情報の元となるデータの更新方法については検討されていない。
【０００９】
これらにより、上記従来のシステムでは、ｃｄｍａ２０００  １ｘ−ＥＶ  ＤＯ方式を用いることにより、端末から基地局へ送られてくる予測下りデータ通信速度によってビットレートを変更することで、電波状況の悪い場所でもコンテンツのダウンロードなどを行うことができるが、ビットレートが低くなってダウンロードなどに時間がかかってしまうことについて、効果的に対処することが困難であった。
【００１０】
本発明は、上記事情を考慮してなされたもので、通信網において、移動端末に対して現在の通信状況よりもよい通信状況となる場所を知らせることができる無線通信方法、無線通信システム、無線基地局及び移動端末を提供することを目的とする。
【００１１】
【課題を解決するための手段】
上記目的を達成するために、請求項１に記載の発明は、移動端末から無線基地局へ、予測下りデータ通信速度（ＤＲＣ；Ｄａｔａ  Ｒａｔｅ  Ｃｏｎｔｒｏｌ）と該移動端末の位置情報とを送信し、前記無線基地局は、前記予測下りデータ通信速度及び位置情報をもとにデータベースを作成し、前記移動端末がダウンロードしている時に、前記無線基地局は該データベースに基づいて通信状態のよい場所を探し出して該移動端末に通知することを特徴とする。
【００１２】
請求項２に記載の発明は、前記通信状態のよい場所が、該場所に前記移動端末が移動することにより、予測下りデータ通信速度が高くなる場所であることを特徴とする。
【００１３】
請求項３に記載の発明は、前記データベースが、前記無線基地局が担当するエリアを複数の小エリアに区分けし、前記位置情報に対応する小エリアに、該位置情報に対応する前記予測下りデータ通信速度を関連づけて構成することを特徴とする。
【００１４】
請求項４に記載の発明は、前記データベースが、前記予測下りデータ通信速度を前記小エリア毎に整理して、加算平均を行い、該加算平均値に基づいて更新することを特徴とする。
【００１５】
請求項５に記載の発明は、前記移動端末が、前記予測下りデータ通信速度が所望値以下になったと判断したとき、より通信状態のよい場所を通知するように、前記無線基地局に対して要求することを特徴とする。
【００１６】
請求項６に記載の発明は、前記移動端末が、前記移動端末から通知された通信状態のよい場所を表示することを特徴とする。
【００１７】
請求項７に記載の発明は、移動端末の受信状態を示す情報を該移動端末が無線基地局へ送信することにより、該無線基地局が該移動端末へ送信するデータの変調方式を切り換える通信方式を用いた無線通信システムにおいて、前記移動端末は、予測下りデータ通信速度と該移動端末の位置情報とを前記無線基地局に送信する送信手段と、前記無線基地局は、前記予測下りデータ通信速度及び位置情報をもとにデータベースを作成する作成手段と、前記移動端末がダウンロードしている時に、前記データベースに基づいて通信状態のよい場所を該移動端末に通知する通知手段と、備えたことを特徴とする。
【００１８】
請求項８に記載の発明は、移動端末の受信状態を示す情報に基づいて、該移動端末へ送信するデータの変調方式を切り換える通信方式を用いた無線基地局であって、前記移動端末から受信した予測下りデータ通信速度と該移動端末の位置情報とをもとにデータベースを作成するデータベース部と、前記移動端末がダウンロードしている時に、前記データベースに基づいて通信状態のよい場所を該移動端末に通知する解析部とを有することを特徴とする。
【００１９】
請求項９に記載の発明は、前記データベース部が、前記無線基地局が担当するエリアを複数の小エリアに区分けし、前記位置情報に対応する小エリアに、該位置情報に対応する前記予測下りデータ通信速度を関連づけて、前記データベースを構築することを特徴とする。
【００２０】
請求項１０に記載の発明は、前記データベース部が、前記予測下りデータ通信速度を前記小エリア毎に整理して、加算平均を行い、該加算平均値に基づいて前記データベースを更新することを特徴とする。
【００２１】
請求項１１に記載の発明は、通信状態に基づいてデータ変調方式を切り換える通信網で用いられる移動端末であって、該移動端末の位置情報を取得する現在位置取得部と、予測下りデータ通信速度を保持するバッファ部と、前記位置情報及び予測下りデータ通信速度を無線基地局に送信する送信部と、前記無線基地局からデータをダウンロードする受信部と、前記受信部がダウンロード中に、前記無線基地局から送信されてきた通信状態のよい場所を示す情報を表示する表示部とを有することを特徴とする。
【００２２】
請求項１２に記載の発明は、前記移動端末が、前記予測下りデータ通信速度が所望値以下になったと判断したとき、より通信状態のよい場所を通知するように、前記無線基地局に対して要求する制御部を有することを特徴とする。
【００２３】
【発明の実施の形態】
以下、図面を参照し、本発明の一実施形態に係る無線通信システムについて説明する。
【００２４】
図１は本実施形態の無線通信システムの全体構成図である。図１において符号１００は移動端末を、符号２００は無線基地局を示している。移動端末１００と無線基地局２００との通信路には、ｃｄｍａ２０００  １ｘ−ＥＶ  ＤＯ方式を利用する。
【００２５】
図２は移動端末１００の構成を示すブロック図である。移動端末１００は、送受信部１０１、現在位置取得部１０２、コンテンツ保存部１０３、制御部１０４、バッファ部１０５、表示部１０６から構成されている。現在位置取得部１０２は、コンテンツのダウンロード時に移動端末１００の位置を定期的に計測して無線基地局２００にそのデータを送信する。現在位置取得部１０２における位置計測には、例えばＧＰＳ（Ｇｌｏｂａｌ  Ｐｏｓｉｔｉｏｎｉｎｇ  Ｓｙｓｔｅｍ）を用いる。表示部１０６は、無線基地局２００から送られてきた受信状態の良い場所をユーザにわかる形で表示する。
【００２６】
図３は無線基地局２００の構成図である。無線基地局２００は、送受信部２０１、ＤＲＣマップ部（データベース部）２０２、制御部２０３、バッファ部２０４、解析部２０５から構成されている。ＤＲＣマップ部２０２には、無線基地局２００がカバーするエリア（担当するエリア）の座標と予測下りデータ通信速度（ＤＲＣ）が対応付けられて保存されている。ＤＲＣマップ部２０２に保存されている予測下りデータ通信速度（ＤＲＣ）は、バッファ部２０４に保存されているデータをもとに定期的に更新される。
【００２７】
バッファ部２０４は、移動端末１００におけるコンテンツダウンロード中に、その移動端末１００から送られてきた位置情報と予測下りデータ通信速度（ＤＲＣ）を一時的に保存する。解析部２０５は、移動端末１００から送られてきた位置情報とＤＲＣマップ部のデータとを基に移動端末１００の付近で受信状態の良い場所を探し移動端末１００に通知する。
【００２８】
次に、上記構成の無線通信システムの動作について説明する。
（移動端末１００側の動作）
１．ユーザが移動端末１００を操作してコンテンツのダウンロードを開始する。
２．このダウンロード中は、一定間隔でユーザ（移動端末１００）の現在位置を現在位置取得部１０２が計測し無線基地局２００に送る。
３．過去ｔ秒間の予測下りデータ通信速度（ＤＲＣ）をバッファ部１０５に保存する。ここで、ｔの値は任意に指定することができる。
４．制御部１０４は、定期的にバッファ部１０５に保存されている予測下りデータ通信速度（ＤＲＣ）の加算平均を行い、その値が閾値以下になると、無線基地局２００に予測下りデータ通信速度（ＤＲＣ）の高い場所を知らせるように要求する。
５．無線基地局２００から送られてきた予測下りデータ通信速度（ＤＲＣ）の高い場所をユーザにわかりやすい形で表示部１０６に表示する。
【００２９】
予測下りデータ通信速度（ＤＲＣ）の高い場所の表示方法には、次の２つの方法が挙げられる。（１）表示部１０６の画面に地図を表示させ、その上に現在位置とＤＲＣの高い場所とを数箇所表示する。（２）予測下りデータ通信速度（ＤＲＣ）の高い場所を文字情報として表示部１０６に表示させる。
【００３０】
（無線基地局２００側の動作）
１．ダウンロードが終了するまで移動端末１００から送られてくる位置情報と予測下りデータ通信速度（ＤＲＣ）をバッファ部２０４に保存する。
２．移動端末１００から予測下りデータ通信速度（ＤＲＣ）の高い場所を知らせてほしい旨の要求があった場合、移動端末１００から送られてきた位置情報とＤＲＣマップ部２０２のデータとを基に解析部２０５が処理を行うことで、予測下りデータ通信速度（ＤＲＣ）の高い場所を探し出し、その場所を移動端末１００に通知する。
３．ダウンロード終了後、バッファ部２０４に保存されているデータを基にＤＲＣマップ部２０２を更新する。
【００３１】
次に、上記ＤＲＣマップ部２０２に保存されているＤＲＣマップについて説明する。ＤＲＣマップは、いくつかの小さなエリア（小エリア）で構成している。小エリアは、無線基地鏡２００がカバーするエリアを格子状に区切ったもの、または地形や町並みに応じて区切ったものである。各小エリアと予測下りデータ通信速度（ＤＲＣ）とが対応付けられてＤＲＣマップ部２０２に保存されている。この保存方法については、（１）全ての小エリアのデータを保存したもの、（２）予測下りデータ通信速度（ＤＲＣ）の高い小エリアのみを保存したもの、（３）小エリアを層別（あるいは階層構造）にして保存したものが考えられる。
【００３２】
次に、上記ＤＲＣマップの更新手順について説明する。
１．バッファ部２０４に複数保持されている予測下りデータ通信速度（ＤＲＣ）を小エリアごとに整理して、加算平均を行う。
２．ＤＲＣマップの値と上記１．で得られた値にウエイトを掛けた値とで加算平均を行い、ＤＲＣマップの更新をする。ウエイトの値は上記１．で用いた予測下りデータ通信速度（ＤＲＣ）の数に比例する値を用いる。
移動端末１００が常に移動していて、上記加算平均処理などに必要な十分なデータが得られないときは、その処理を行わず、ＤＲＣマップの更新も行わない。
【００３３】
これらにより、本実施形態によれば、ｃｄｍａ２０００  １ｘ−ＥＶ  ＤＯ方式を用いて、移動端末１００が自己の位置情報と予測下りデータ通信速度（ＤＲＣ）とを無線基地局２００に通知しており、無線基地局２００が複数の移動端末１００の位置情報及び予測下りデータ通信速度（ＤＲＣ）からなるＤＲＣマップを作成することができ、各小エリアにおける予測下りデータ通信速度（ＤＲＣ）を特定することができる。また、無線基地局２００は、移動端末１００から送られてきた位置情報及びデータ通信速度（ＤＲＣ）によってＤＲＣマップを逐次更新することができる。
【００３４】
そして、移動端末１００は、ダウンロードなどの通信中に電波状態が悪くなり、予測下りデータ通信速度（ＤＲＣ）が低くなった場合でも、予測下りデータ通信速度（ＤＲＣ）の高い場所の通知を無線基地局２００から受けることができる。そこで、ユーザは、移動端末１００の表示部１０６に表示された予測下りデータ通信速度（ＤＲＣ）の高い場所に行くことにより、良い環境（データ通信速度の速い環境など）で通話又はダウンロードなどの通信を行うことができる。
【００３５】
したがって、ユーザの移動端末１００は、コンテンツのダウンロードをより高速に行うことができる。また、ユーザは、ダウンロード中に電波状況が悪くなったこと、及びより通信状態のよい場所を知ることができるので、ダウンロードが途中で途切れたりすることを回避することができる。
【００３６】
以上、本発明の実施形態について図面を参照して詳述してきたが、具体的な構成はこの実施形態に限られるものではなく、本発明の要旨を逸脱しない範囲の設計変更等も含まれる。
【００３７】
【発明の効果】
以上説明したように、本発明によれば、移動端末に対して現在の通信状況よりもよい通信状況となる場所を知らせることができる。
【図面の簡単な説明】
【図１】本発明の実施形態に係る無線通信システムの全体構成図である。
【図２】同上の無線通信システムにおける移動端末のブロック図である。
【図３】同上の無線通信システムにおける無線基地局のブロック図である。
【符号の説明】
１００…移動端末、１０１…送受信部、１０２…現在位置取得部、１０３…コンテンツ保存部、１０４…制御部、１０５…バッファ部、１０６…表示部、２００…無線基地局、２０１…送受信部、２０２…ＤＲＣマップ部（データベース）、２０３…制御部、２０４…バッファ部、２０５…解析部
【図１】
2004312528.tif 000003
【図２】
2004312528.tif 000004
【図３】
2004312528.tif 000005